(57)【要約】【課題】照明が消灯又は点灯された場合に、照明下にいる人に突然の消灯又は点灯による不都合をもたらさないようにする。【解決手段】照明装置の点灯制御を指示する制御情報を取得する制御情報取得部と、制御情報取得部により取得された制御情報に基づいて、照明装置の点灯開始から所定時間経過後に点灯完了させる制御情報又は前記照明装置の消灯開始から所定時間経過後に消灯完了させる制御情報を含むパターン制御情報を取得するパターン制御情報取得部と、パターン制御情報取得部により取得されたパターン制御情報に基づいて、照明装置の制御を行う照明制御部と、を含むことを特徴とする。【選択図】図１
2020017887.tif 000002
【特許請求の範囲】
【請求項１】
照明装置の点灯制御を指示する制御情報を取得する制御情報取得部と、
前記制御情報取得部により取得された前記制御情報に基づいて、前記照明装置の点灯開始から所定時間経過後に点灯完了させる制御情報又は前記照明装置の消灯開始から所定時間経過後に消灯完了させる制御情報を含むパターン制御情報を取得するパターン制御情報取得部と、
前記パターン制御情報取得部により取得された前記パターン制御情報に基づいて、前記照明装置の制御を行う照明制御部と、
を含む照明システム。
【請求項２】
前記照明システムは、更に、
前記制御情報取得部により取得された前記制御情報に基づいて通知を行う通知部を含むことを特徴とする請求項１に記載の照明システム。
【請求項３】
前記照明システムは、更に、
前記照明装置と関連付けられた家電機器の運転状態を表す出力信号を取得する家電出力取得部を含み、
前記照明制御部は、前記家電出力取得部により取得された前記出力信号に基づいて、前記照明装置の制御を行うか否かを決定することを特徴とする請求項１又は２に記載の照明システム。
【請求項４】
前記照明システムは、更に、
人を検出するセンサを含み、
前記照明制御部は、前記センサの出力がＯＮした場合は、前記制御情報が指示する制御を行わないことを特徴とする請求項１乃至３のいずれかに記載の照明システム。
【請求項５】
照明装置の点灯制御を指示する制御情報を取得し、
前記制御情報取得部により取得された前記制御情報に基づいて、前記照明装置の点灯開始から所定時間経過後に点灯完了させる制御情報又は前記照明装置の消灯開始から所定時間経過後に消灯完了させる制御情報を含むパターン制御情報を取得し、
前記パターン制御情報取得部により取得された前記パターン制御情報に基づいて、前記照明装置の制御を行うことを特徴とする照明システムの制御方法。
【発明の詳細な説明】
【技術分野】
【０００１】
本発明は、照明システム、照明システムの制御方法に関する。
【背景技術】
【０００２】
下記特許文献１には、ユーザが予め設定したパスワードと、ユーザが宅外から家電機器を操作要求する際に送信したパスワードとが一致した場合のみ、ホームネットワークに接続された家電機器の操作を実行することにより、宅外の不正なユーザによる操作が実行されることを防止する家電機器の制御システムが開示されている。
【先行技術文献】
【特許文献】
【０００３】
【特許文献１】特開２００３−３０９８８３号公報
【発明の概要】
【発明が解決しようとする課題】
【０００４】
しかしながら、上記制御システムは、宅外から操作する場合、その操作内容によっては宅内の家電機器の利用者に不都合をもたらす場合があった。特に照明機器に関しては、照明下で作業中の場合などに一方的に宅外から消灯されると問題が大きかった。
【０００５】
かかる課題に鑑みて、本発明は、照明が消灯又は点灯された場合に、照明下にいる人に突然の消灯又は点灯による不都合をもたらさないようにすることを目的とする。
【課題を解決するための手段】
【０００６】
本発明の照明システムは、照明装置の点灯制御を指示する制御情報を取得する制御情報取得部と、制御情報取得部により取得された制御情報に基づいて、照明装置の点灯開始から所定時間経過後に点灯完了させる制御情報又は前記照明装置の消灯開始から所定時間経過後に消灯完了させる制御情報を含むパターン制御情報を取得するパターン制御情報取得部と、パターン制御情報取得部により取得されたパターン制御情報に基づいて、照明装置の制御を行う照明制御部と、を含むことを特徴とする。
【０００７】
本発明の照明システムの制御方法は、照明装置の点灯制御を指示する制御情報を取得し、前記制御情報取得部により取得された前記制御情報に基づいて、前記照明装置の点灯開始から所定時間経過後に点灯完了させる制御情報又は前記照明装置の消灯開始から所定時間経過後に消灯完了させる制御情報を含むパターン制御情報を取得し、前記パターン制御情報取得部により取得された前記パターン制御情報に基づいて、前記照明装置の制御を行うことを特徴とする。
【図面の簡単な説明】
【０００８】
【図１】第１の実施形態における照明システムの全体構成の一例を示す図である。
【図２】図１に示すユーザ端末の制御部の機能的構成の一例を示す図である。
【図３】図１に示す照明システムの制御部の機能的構成の一例を示す図である。
【図４】パターン制御関連情報の一例を示す図である。
【図５】図１に示す照明システムのパターン制御情報の一例を説明するための図である。
【図６】図１に示す照明システムのフローの一例を示す図である。
【図７】第１の実施形態の変形例における制御部の機能的構成の一例を示す図である。
【図８】通知関連情報の一例を示す図である。
【図９】第２の実施形態における照明システムの制御部の機能的構成の一例を示す図である。
【図１０】家電関連情報の一例を示す図である。
【図１１】第２の実施形態における照明システムのフローの一例を示す図である。
【発明を実施するための形態】
【０００９】
以下、本発明の実施形態について、図面を参照しつつ説明する。なお、図面については、同一又は同等の要素には同一の符号を付し、重複する説明は省略する。
【００１０】
（第１の実施形態）
【００１１】
図１は、第１の実施形態における照明システムの全体構成の一例を示す図である。図１に示すように、本実施形態における照明システム１は、照明装置１０、制御装置２０を含み、ネットワーク２を介して、ユーザ端末３と接続される。
【００１２】
照明装置１０は、例えばＬＥＤや蛍光灯等の光源を有する照明設備である。照明装置１０が設置される場所は、例えば個別の建造物である住宅であるが、これに限定されない。個別の建造物であるオフィス、工場等であってもよいし、集合住宅の住戸であってもよい。
【００１３】
制御装置２０は、ネットワーク２を介して、ユーザ端末３からの制御情報を取得して、ユーザ端末３の制御対象である照明装置１０を制御する。また、制御装置２０は、例えばＨＡＮ（Ｈｏｍｅ  Ａｒｉａ  Ｎｅｔｗｏｒｋ）やクラウド型ＨＮＳ（Ｈｏｍｅ  Ｎｅｔｗｏｒｋ  Ｓｙｓｔｅｍ）等（図示省略）を介して、例えば照明装置１０と同室内に設置された各種家電機器（図示省略）との間の通信を制御する。ここで家電機器は、例えばエアコン、テレビ、電子レンジ等に相当する。制御装置２０の構成については後述する。
【００１４】
ネットワーク２は、例えばインターネット等に相当する。照明装置１０は、ネットワーク２を介して、ユーザ端末３によって遠隔操作が可能となっている。
【００１５】
ユーザ端末３は、住人等が携帯可能な端末であり、例えばスマートフォン、タブレット等に相当する。ユーザ端末３は、例えば、制御部３１、記憶部３２、通信部３３、操作部３４、表示部３５を含む。制御部３１は、例えばＣＰＵ、ＭＰＵ等であって、記憶部３２に格納されるプログラムに従って各種の情報処理を実行する。記憶部３２は、例えばフラッシュメモリやＲＡＭ等であって、制御部３１によって実行されるプログラムや、各種データを保持する。また、記憶部３２は、制御部３１のワークメモリとしても動作する。通信部３３は、インタフェース等であって、ネットワーク２を介して、照明システム１と通信する。操作部３４は、例えばボタン、タッチパネル等であって、ユーザの指示操作を受け付けて、当該指示操作の内容を制御部３１に出力する。表示部３５は、例えば液晶表示パネル、有機ＥＬ表示パネル等であって、制御部３１からの指示に応じて情報を表示する。
【００１６】
ここでは、一例として、ユーザは、照明制御用のアプリケーションを、ネットワーク２を介して、予め記憶部３２にダウンロードしているものとして説明する。ユーザが当該アプリケーションを起動し、表示部３５に表示された操作方法に従って操作部３４を操作することで、制御部３１により照明装置１０を制御するための制御情報が生成される。具体的には、例えば、照明装置１０を点灯状態から消灯状態に切り替える制御情報、照明装置１０を消灯状態から点灯状態に切り替える制御情報等が生成される。生成された制御情報は、通信部３３を介して制御装置２０に送信される。
【００１７】
図２は、図１に示すユーザ端末の制御部の機能的構成の一例を示す図である。図２に示すように、本実施形態におけるユーザ端末３の制御部３１は、機能的に端末側照明ＩＤ取得部３０１、端末側制御情報取得部３０２を含む。
【００１８】
端末側照明ＩＤ取得部３０１は、ユーザがユーザ端末３から制御指示した照明装置１０を識別する照明ＩＤを取得する。照明ＩＤは、例えばＡ１、Ａ２等で表される。取得された照明ＩＤは、通信部３３を介して制御装置２０に送信される。
【００１９】
端末側制御情報取得部３０２は、例えば、ユーザがユーザ端末３から指示した照明装置１０の制御内容を表す制御情報を取得する。具体的には、端末側制御情報取得部３０２は、例えば、照明装置１０を点灯状態から消灯状態に切り替える制御を表す識別情報Ｔ１を取得する。また、端末側制御情報取得部３０２は、例えば、照明装置１０を消灯状態から点灯状態に切り替える制御を表す識別情報Ｔ２を取得する。取得された識別情報は、通信部３３を介して制御装置２０に送信される。
【００２０】
再び図１に戻り、照明システム１の制御装置２０の構成について説明する。制御装置２０は、ユーザ端末３と同様に、例えば、制御部１０１、記憶部１０２、通信部１０３、操作部１０４、表示部１０５を含む。なお、制御部１０１、記憶部１０２、通信部１０３、操作部１０４、表示部１０５の主な構成はユーザ端末３と同様であるので、説明を省略する。また、制御装置２０は、照明装置１０に給電する電源部１０６、時刻を計時する計時部１０７、音声を再生する再生部１０８等を含み、それぞれ制御部１０１に接続される。
【００２１】
図３は、図１に示す照明システムの制御部の機能的構成の一例を示す図である。図３に示すように、本実施形態における照明システム１の制御部１０１は、機能的に照明ＩＤ取得部２０１、制御情報取得部２０２、パターン制御情報取得部２０３、照明制御部２０４を含む。
【００２２】
照明ＩＤ取得部２０１は、ネットワーク２を介して、ユーザ端末３からの照明ＩＤを取得する。例えば、上記例の場合、照明ＩＤ取得部２０１は、Ａ１、Ａ２等を取得する。
【００２３】
制御情報取得部２０２は、ネットワーク２を介して、ユーザ端末３からの制御情報を取得する。例えば、上記例の場合、制御情報取得部２０２は、Ｔ１、Ｔ２等を取得する。
【００２４】
パターン制御情報取得部２０３は、照明ＩＤ及び制御情報に関連付けられたパターン制御情報を取得する。例えば、パターン制御情報取得部２０３は、図４に示すように、照明ＩＤ、制御情報及びパターン制御情報が関連付けられたパターン制御関連情報を取得する。パターン制御情報取得部２０３は、当該パターン制御関連情報に基づいて、取得した照明ＩＤ及び制御情報に関連付けられたパターン制御情報を取得する。上記例の場合、照明ＩＤ取得部２０１によりＡ１、制御情報取得部２０２によりＴ１が取得された場合、Ａ１及びＴ１にパターン制御情報ａが関連付けられているので、パターン制御情報取得部２０３は、パターン制御情報ａを取得する。また、照明ＩＤ取得部２０１によりＡ１、制御情報取得部２０２によりＴ２が取得された場合、Ａ１及びＴ２にパターン制御情報ｂが関連付けられているので、パターン制御情報取得部２０３は、パターン制御情報ｂを取得する。当該パターン制御関連情報は、ユーザが例えば予め設定したものであり、例えば記憶部１０２に保存される。
【００２５】
図５は、図１に示す照明システムのパターン制御情報の一例を説明するための図である。図５に示すように、パターン制御情報ａは、（１）照明装置１０を点灯状態の第１の明るさで一定とする第１の点灯制御、（２）照明装置１０を点灯状態の第１の明るさから第２の明るさに連続的に減少させる第２の点灯制御、（３）照明装置１０を第２の明るさで一定とする第３の点灯制御、（４）照明装置１０を第２の明るさから消灯状態の第３の明るさに連続的に減少させる第４の点灯制御、（５）照明装置１０を消灯状態の第３の明るさで一定とする第５の点灯制御、を表す。パターン制御情報ａにおいては、上記（２）乃至（４）のステップが、消灯開始から消灯完了に至るまでの遅延時間を構成している。この遅延時間が設けられていることにより、例えば、遠隔操作による消灯コマンドを受け付けても、照明下で作業中の人がいきなり暗闇に包まれ作業ができない等の不都合をもたらすことを防止できる。また、パターン制御情報ｂは、〔１〕照明装置１０を消灯状態の第１の明るさで一定とする第１の点灯制御、〔２〕照明装置１０を消灯状態の第１の明るさから第２の明るさに連続的に増加させる第２の点灯制御、〔３〕照明装置１０を第２の明るさで一定とする第３の点灯制御、〔４〕照明装置１０を第２の明るさから点灯状態の第３の明るさに連続的に増加させる第４の点灯制御、〔５〕照明装置１０を点灯状態の第３の明るさで一定とする第５の点灯制御、を表す。パターン制御情報ｂにおいては、上記〔２〕乃至〔４〕のステップが、点灯開始から点灯完了に至るまでの遅延時間を構成している。この遅延時間が設けられていることにより、例えば、遠隔操作による点灯コマンドを受け付けても、暗所で作業中の人が点灯時の眩しさに目がくらみ作業ミスする等の不都合をもたらすことを防止できる。
【００２６】
また、図５に示すように、パターン制御情報ａにおいては、遅延時間の大部分を占める上記（３）のステップにおける照明装置１０の明るさは、点灯状態における明るさを１００％とすると、例えば約３０％に設定されている。これは、例えば、照明装置１０が点灯状態（明るさが１００％）の下で作業中の場合に、直ぐに３０％未満まで暗くしてしまうと、作業者が突然暗闇に包まれ作業ができない等の不都合をもたらすので、これを防止するためである。一方、パターン制御装置ｂにおいては、遅延時間の大部分を占める上記〔３〕のステップにおける照明装置１０の明るさは、点灯状態における明るさを１００％とすると、例えば約１０％に設定されている。これは、例えば、照明装置１０が消灯状態（明るさが０％）の下で作業中の場合に、作業者が点灯時の眩しさに目がくらみ作業ミスする等の不都合をもたらさないためには、真っ暗ではない程度の明るさを経由させることで十分なためである。いずれの場合においても、遅延時間の照明装置１０の明るさを必要最小限に設定することにより、電力消費を抑制する効果も奏することができる。
【００２７】
なお、本実施形態におけるパターン制御情報は、上記のものに限定されない。例えば、上記例の（２）乃至（４）又は〔２〕乃至〔４〕のステップの時間を短く設定することで、実質的に遅延時間を設けない構成としてもよい。また、照明装置１０の明るさを点灯（消灯）状態から消灯（点灯）状態まで徐々に（連続的に）変化させてもよいし、一定のタイムスパンで段々と変化させてもよい。さらに、照明装置１０の明るさに換えて、或いは明るさと共に、照明装置１０の色調を変化させてもよい。
【００２８】
再び図３に戻り、照明制御部２０４は、取得されたパターン制御情報に基づいて、照明装置１０の明るさの制御を行う。照明装置１０の明るさの制御は、例えば、電源部１０６により、電流の量や電力を供給する時間を変化させる等の周知の方法で行うことができる。また、計時部１０７は、上記例の場合、制御情報取得部２０２が識別情報Ｔ１又はＴ２を取得してからの経過時間や、上記（１）〜（５）及び〔１〕〜〔５〕の各ステップを開始又は終了させるタイミングが到来したか否かを判断するための時間等を計測する。
【００２９】
図６は、図１に示す照明システムのフローの一例を示す図である。図６に示すように、照明ＩＤ取得部２０１は、ネットワーク２を介して、ユーザ端末３からの照明ＩＤを取得する（Ｓ１０１）。制御情報取得部２０２は、ネットワーク２を介して、ユーザ端末３からの制御情報を取得する（Ｓ１０２）。パターン制御情報取得部２０３は、取得した照明ＩＤ及び制御情報に基づいて、照明装置１０のパターン制御情報を取得する（Ｓ１０３）。照明制御部２０４は、取得したパターン制御情報に基づいて、照明装置１０の明るさの制御を行う（Ｓ１０４）。なお、本実施形態は、上記フローに限定されるものではなく、種々の変形が可能である。例えば、Ｓ１０１とＳ１０２の順序は逆であってもよい。
【００３０】
本実施形態によれば、宅内の照明が宅外から遠隔操作されても、照明が完全に点灯又は消灯されるまでに遅延時間が設けられていることから、例えば、照明下で作業中の人に、急激な明るさの変化に目が順応できずに作業ミス等の不都合をもたらすことを防止することができる。また、照明装置１０は、予め設定されたパターン制御情報に基づいて明るさを変化させるため、作業者は明るさの変化が始まるとまもなく照明装置１０が点灯又は消灯されることがわかり、事前に当該不都合を回避することができる。
【００３１】
本発明は、上記実施形態に限定されるものではなく、上記実施形態で示した構成と実質的に同一の構成、同一の作用効果を奏する構成又は同一の目的を達成することができる構成で置き換えてもよい。具体的には、例えば、下記変形例のように構成してもよい。
【００３２】
図７は、第１の実施形態の変形例における制御部の機能的構成の一例を示す図である。図７に示すように、本変形例においては、例えば、更に、通知情報取得部２０５、通知部２０６を含む。
【００３３】
通知情報取得部２０５は、照明ＩＤ、制御情報及び通知情報が関連付けられた通知関連情報を取得する。通知関連情報は、例えば図８に示すように、照明ＩＤ、制御情報及び通知情報が関連付けられている。そして、通知情報取得部２０５は、当該通知関連情報に基づいて、取得した照明ＩＤ及び制御情報に関連付けられた通知情報を取得する。当該通知関連情報は、ユーザが例えば予め設定したものであり、例えば記憶部１０２に保存される。
【００３４】
ここで、通知情報は、例えば、まもなく照明が消灯される旨通知する情報を音声で示すための識別情報（例えばＷ１）、まもなく照明が点灯される旨通知する情報を音声で示すための識別情報（例えばＷ２）を含む。
【００３５】
通知部２０６は、通知情報取得部２０５により取得された通知情報に基づいて、通知を行う。具体的には、例えば、取得された識別情報Ｗ１に基づいて、再生部１０８に音声を再生させる等である。なお、通知の方法は上記例に限定されるものではない。例えば、上記例の音声による通知内容と同様のメッセージ文を、例えば表示部１０５に表示させてもよい。
【００３６】
変形例によれば、照明装置１０と同室内にいる人は、照明がまもなく点灯又は消灯されることを照明の明るさの変化から知り得るだけではなく、聴覚等によりはっきりと知覚することができるので、予見可能性が得られ、より不都合が生じない。
【００３７】
（第２の実施形態）
【００３８】
次に、本発明の第２の実施形態を説明する。なお、下記において第１の実施形態と同様である点については説明を省略する。
【００３９】
図９は、第２の実施形態における照明システムの制御部の機能的構成の一例を示す図である。図９に示すように、本実施形態における照明システム１の制御部１０１は、機能的に照明ＩＤ取得部２０１、制御情報取得部２０２、パターン制御情報取得部２０３、照明制御部２０４、家電ＩＤ取得部２０７、家電出力取得部２０８を含む。
【００４０】
照明ＩＤ取得部２０１は、第１の実施形態と同様に、ネットワーク２を介して、ユーザ端末３からの照明ＩＤを取得する。例えば、上記例の場合、照明ＩＤ取得部２０１は、Ａ１、Ａ２等を取得する。
【００４１】
制御情報取得部２０２は、第１の実施形態と同様に、ネットワーク２を介して、ユーザ端末３からの制御情報を取得する。例えば、上記例の場合、制御情報取得部２０２は、Ｔ１、Ｔ２等を取得する。
【００４２】
パターン制御情報取得部２０３は、第１の実施形態と同様に、照明ＩＤ及び制御情報に関連付けられたパターン制御情報を取得する。例えば、上記例の場合、パターン制御情報取得部２０３は、ａ、ｂ等を取得する。
【００４３】
家電ＩＤ取得部２０７は、照明装置１０と関連付けられた家電機器（図示省略）を識別する家電ＩＤを取得する。家電ＩＤは、例えばＳ１、Ｓ２等で表される。例えば、家電ＩＤ取得部２０７は、照明ＩＤ取得部２０１から取得した照明ＩＤに基づいて、図１０に示すように、照明ＩＤ及び家電ＩＤが関連付けられた家電関連情報を取得する。家電ＩＤ取得部２０７は、当該家電関連情報に基づいて、取得した照明ＩＤに関連付けられた家電ＩＤを取得する。上記例の場合、照明ＩＤ取得部２０１からＡ１の照明ＩＤを取得した場合は、Ａ１にＳ１の家電ＩＤが関連付けられているので、家電ＩＤ取得部２０７は、Ｓ１の家電ＩＤを取得する。また、照明ＩＤ取得部２０１からＡ２の照明ＩＤを取得した場合は、Ａ２にＳ２の家電ＩＤが関連付けられているので、家電ＩＤ取得部２０７は、Ｓ２の家電ＩＤを取得する。
【００４４】
当該家電関連情報は、例えば、同室内に備え付けられた照明装置１０と家電機器（図示省略）とについて、ユーザが例えば予め設定したものであり、例えば記憶部１０２に保存される。ここで、家電機器（図示省略）は、例えばエアコン等が相当するが、これに限定されるものではない。家電機器の性質上、当該家電機器が運転中（或いは停止中）であればその部屋に人がいる可能性が高い、又は当該家電機器が運転中（或いは停止中）であればその部屋に人がいない可能性が高い、と経験的に言えるものであれば、本実施形態における家電機器として用いることができる。例えばテレビ、電子レンジ等は、これらの家電機器が運転中であればその部屋に人がいる可能性が高いと経験的に言えるので、本実施形態において用いることができる。
【００４５】
家電出力取得部２０８は、家電ＩＤ取得部２０７から取得した家電ＩＤにより識別される家電機器（図示省略）からの運転状態を表す出力信号を取得する。具体的には、家電出力取得部２０８は、当該家電機器が運転中の場合はＯＮの出力信号を取得する。一方、当該家電機器が停止中の場合はＯＦＦの出力信号を取得する。
【００４６】
照明制御部２０４は、家電出力取得部２０８から取得した出力信号に基づいて、取得されたパターン制御情報に基づいた制御を行うか否かを決定する。例えば、照明制御部２０４は、家電出力取得部２０８からのＯＮの出力信号を取得した場合は、例えばパターン制御情報取得部２０３からパターン制御情報ａを取得していても消灯しない、つまりそのままの状態（点灯状態）を維持するとしてもよい。一方、照明制御部２０４は、家電出力取得部２０８からのＯＦＦの出力信号を取得した場合は、例えばパターン制御情報取得部２０３からパターン制御情報ａを取得すると、これに基づいて消灯の制御を行うとしてもよい。
【００４７】
図１１は、第２の実施形態における照明システムのフローの一例を示す図である。図１１に示すように、照明ＩＤ取得部２０６は、ネットワーク２を介して、ユーザ端末３からの照明ＩＤを取得する（Ｓ２０１）。制御情報取得部２０２は、ネットワーク２を介して、ユーザ端末３からの制御情報を取得する（Ｓ２０２）。パターン制御情報取得部２０３は、取得した照明ＩＤ及び制御情報に基づいて、照明装置１０のパターン制御情報を取得する（Ｓ２０３）。家電ＩＤ取得部２０７は、取得した照明ＩＤと関連付けられた家電機器（図示省略）を識別する家電ＩＤを取得する（Ｓ２０４）。家電出力取得部２０８は、家電ＩＤ取得部２０７から取得した家電ＩＤにより識別される家電機器（図示省略）からの運転状態を表す出力信号を取得する。（Ｓ２０５）。照明制御部２０４は、家電出力取得部２０８が取得した出力信号がＯＮか否かを判定する（Ｓ２０６）。そして、ＯＮではない場合は、照明制御部２０４は、取得したパターン制御情報に基づいて、照明装置１０の明るさの制御を行う（Ｓ２０６）。一方、ＯＮの場合は、照明制御部２０４は、取得したパターン制御情報に基づいた制御を行わない。なお、本実施形態は、上記フローに限定されるものではなく、種々の変形が可能である。例えば、Ｓ２０１とＳ２０２の順序は逆であってもよい。
【００４８】
本実施形態によれば、例えば、家電機器の運転状況から判断して、照明下に人がいる可能性が低いときは遠隔操作による照明の制御を行い、一方、照明下に人がいる可能性が高いときは遠隔操作による照明の制御を行わないとすることができる。これにより、例えば、照明下で作業中の人に不都合をもたらすことを防止できる。
【００４９】
本実施形態は上記に限定されるものではなく、上記で示した構成と実質的に同一の構成、同一の作用効果を奏する構成又は同一の目的を達成することができる構成で置き換えてもよい。具体的には、上記例では、照明利用者の存否を判定するために家電機器からの出力信号を利用する構成を採用したが、この構成に換えて、例えば、下記変形例のように構成してもよい。
【００５０】
例えば、照明装置１０が、人を検出すると検出信号を出力するセンサ（図示省略）を有してもよい。例えば、照明制御部２０４は、当該センサからのＯＮの出力信号を取得した場合は、例えばパターン制御情報取得部２０３からパターン制御情報ａを取得していても消灯しない、つまりそのままの状態（点灯状態）を維持するとしてもよい。一方、照明制御部２０４は、当該センサからのＯＮの出力信号を取得しない場合は、例えばパターン制御情報取得部２０３からパターン制御情報ａを取得すると、これに基づいて消灯の制御を行うとしてもよい。これにより、例えば、センサが検出した人が照明下で作業中の場合、その人に不都合をもたらすことを防止できる。ここで、センサは、例えば、赤外線の変化により人を検出する人感センサであるが、これに限られない。例えばマイクであってもよいし、ほこりセンサやにおいセンサ等の天井空清固有のセンサであってもよい。
【００５１】
例えば、照明装置１０が、照明装置１０と通信可能な端末装置であり、例えば照明装置１０の点灯、消灯等の指示信号を出力するリモコン（図示省略）を有してもよい。例えば、照明制御部２０４は、当該リモコンからの指示信号を取得した場合は、例えばパターン制御情報取得部２０３からパターン制御情報ａを取得していても消灯しない、つまりそのままの状態（点灯状態）を維持するとしてもよい。一方、照明制御部２０４は、当該リモコンからの指示信号を取得しない場合は、例えばパターン制御情報取得部２０３からパターン制御情報ａを取得すると、これに基づいて消灯の制御を行うとしてもよい。これにより、例えば、リモコン操作を行った人が照明下で作業中の場合、その人に不都合をもたらすことを防止できる。
【００５２】
本発明は、上記実施形態に限定されるものではなく、種々の変形が可能である。例えば、上記実施形態で示した構成と実質的に同一の構成、同一の作用効果を奏する構成又は同一の目的を達成することができる構成で置き換えることができる。また、本実施形態は、互いに矛盾しない限り、上記第１及び２の実施形態や上記各変形例と組み合わせて用いてもよい。
【００５３】
例えば、照明システム１が、遠隔からの照明の制御指示に対する実行状況を表すフィードバック情報を生成してユーザ端末３等に送信するフィードバック部（図示省略）を有してもよい。具体的には、例えば、照明制御部２０４がパターン制御情報ａを取得したものの、家電出力取得部２０８からのＯＮの出力信号を取得したため消灯制御を行わなかったときは、例えば「人が居る可能性があります」及び「照明ＯＮ」のフィードバック情報をユーザ端末３に送信すると共に、例えば表示部３５や表示部１０５に表示させてもよい。一方、照明制御部２０４が、家電出力取得部２０８からのＯＦＦの出力信号を取得したため消灯制御を行ったときは、例えば「照明ＯＦＦ」のフィードバック情報をユーザ端末３に送信すると共に、例えば表示部３５や表示部１０５に表示させてもよい。これにより、ユーザは、遠隔操作による制御指示が行われたのか行われなかったのか、行われなかった場合はどのような理由からかを確認することができる。
【００５４】
例えば、上記第１及び２の実施形態に、遅延又は中止した処理を承認する構成を追加しても良い。例えば音声でまもなく点灯される旨通知があったとき、宅内の人が音声で承認すると照明が点灯される構成とすることができる。これによれば、遅延時間の経過を待つまでもなく、ユーザにとって所望の点灯状態が速やかに実現される。
【符号の説明】
【００５５】
１  照明システム、２  ネットワーク、３  ユーザ端末、１０  照明装置、２０  制御装置、３１  制御部、３２  記憶部、３３  通信部、３４  操作部、３５  表示部、１０１  制御部、１０２  記憶部、１０３  通信部、１０４  操作部、１０５  表示部、１０６  電源部、１０７  計時部、１０８  再生部、２０１  照明ＩＤ取得部、２０２  制御情報取得部、２０３  パターン制御情報取得部、２０４  照明制御部、２０５  通知情報取得部、２０６  通知部、２０７  家電ＩＤ取得部、２０８  家電出力取得部、３０１  端末側照明ＩＤ取得部端、３０２  端末側制御情報取得部
【図１】
2020017887.tif 000003
【図２】
2020017887.tif 000004
【図３】
2020017887.tif 000005
【図４】
2020017887.tif 000006
【図５】
2020017887.tif 000007
【図６】
2020017887.tif 000008
【図７】
2020017887.tif 000009
【図８】
2020017887.tif 000010
【図９】
2020017887.tif 000011
【図１０】
2020017887.tif 000012
【図１１】
2020017887.tif 000013